(57)【要約】  【課題】  中間周波増幅器の入出力間に帰還結合を施し、それにより周波数特性のピクチャ部分とピークレベルとを一致させたテレビジョンチューナの中間周波回路を提供する。  【解決手段】  回路基板上に形成され、中間周波信号に並列共振する中間周波同調回路１と、中間周波同調回路１の出力側に接続され、下側隣接チャネルの音声信号成分を除去するＮ−１チャネル用トラップ回路２と、Ｎ−１チャネル用トラップ回路の出力側に接続され、中間周波信号を増幅する中間周波増幅器３と、中間周波増幅器３の出力側に接続された中間周波信号共振回路４を備えるもので、回路基板上の中間周波増幅器３の入出力間に接続配置される構成部品の結合状態を選択し、中間周波増幅器３の周波数特性におけるピクチャ部分がそのピークになるように設定した。  【選択図】  図２
0003108714.tif 000002
【実用新案登録請求の範囲】
【請求項１】
それぞれ回路基板上に形成され、並列接続されたコイルと容量からなり、中間周波信号に並列共振する中間周波同調回路と、前記中間周波同調回路の出力側に接続され、並列接続されたコイルと容量からなり、下側隣接チャネルの音声信号成分を除去するＮ−１チャネル用トラップ回路と、前記Ｎ−１チャネル用トラップ回路の出力側に接続され、中間周波信号を増幅する中間周波増幅器と、前記中間周波増幅器の出力側に接続され、直列接続されたコイルと容量からなる中間周波信号共振回路とを備えるテレビジョンチューナの中間周波回路であって、前記回路基板上の前記中間周波増幅器の入出力間に接続配置される構成部品の結合状態を選択し、中間周波回路の周波数特性におけるピクチャ部分がそのピークになるように設定したことを特徴とするテレビジョンチューナの中間周波回路。
【請求項２】
前記中間周波増幅器の入出力間における構成部品の接続配置は、前記Ｎ−１チャネル用トラップ回路のコイル及び前記中間周波信号共振回路のコイルをそれぞれ空芯コイルとし、前記中間周波増幅器の入出力間の帰還量を前記２つの空芯コイル間に生じる誘導結合量によって設定していることを特徴とする請求項１に記載のテレビジョンチューナの中間周波回路。
【請求項３】
前記中間周波増幅器の入出力間における構成部品の接続配置は、前記Ｎ−１チャネル用トラップ回路のコイルを空芯コイルに、前記中間周波信号共振回路のコイルをチップ型コイルにするとともに、前記中間周波増幅器の入出力端を平行配置し、前記中間周波増幅器の入出力間の帰還量が前記入出力端間に接続したコンデンサの容量値によって設定していることを特徴とする請求項１に記載のテレビジョンチューナの中間周波回路。
【考案の詳細な説明】
【技術分野】
【０００１】
本考案は、テレビジョンチューナの中間周波回路を回路基板上に形成する際に、中間周波増幅器の入出力間に接続配置される構成部品の結合状態を選択し、中間周波増幅器の周波数特性におけるピクチャ部分がそのピークになるように設定したテレビジョンチューナの中間周波回路に関する。
【背景技術】
【０００２】
一般に、回路基板上に形成されるテレビジョンチューナの中間周波回路としては、並列接続されたコイルと容量からなり、中間周波信号に並列共振する中間周波同調回路と、その中間周波同調回路の出力側に接続され、並列接続されたコイルと容量からなり、下側隣接チャネルの音声信号成分を除去するＮ−１チャネル用トラップ回路と、Ｎ−１チャネル用トラップ回路の出力側に接続され、中間周波信号を増幅する中間周波増幅器と、中間周波増幅器の出力側に接続され、直列接続されたコイルと容量からなる中間周波信号共振回路とを備えるものが知られている。そして、このテレビジョンチューナの中間周波回路は、Ｎ−１チャネル用トラップ回路を構成するコイルと中間周波信号共振回路を構成するコイルとの誘導結合をできるだけ回避するために、回路基板上でこれら２つのコイルを直交状態に配置していた。
【０００３】
ここで、図７は、かかる既知のテレビジョンチューナの中間周波回路の構成の一例を示す回路図であって、前段回路を含めて示したものであり、図８は、図７に図示されたテレビジョンチューナの中間周波回路を回路基板上に形成したときの要部構成部品の配置状態を示す平面図である。なお、以下の説明において、図８における構成要素については、図７に図示された構成要素と同じ構成要素に同じ符号を付けている。
【０００４】
図７に示されるように、このテレビジョンチューナの中間周波回路５０は、直列接続された２つのコイル５１（１）、５１（２）とコンデンサ５１（３）との並列接続回路からなる中間周波同調回路５１と、コイル５２（１）とコンデンサ５２（２）との並列接続回路からなるＮ−１チャネル用トラップ回路５２と、中間周波信号増幅器５３と、コイル５４（１）とコンデンサ５４（２）との直列接続回路からなる中間周波信号共振回路５４と、ミキサ回路及び局部発振回路を含む周波数変換器５５と、バッファ抵抗５６と、バイパスコンデンサ５７と、結合コンデンサ５８と、バイパスコンデンサ５９と、分路コンデンサ６０と、入力端５０（Ｉ）と、出力端５０（Ｏ）と、電源端子５０（Ｂ）とからなっており、それらの構成要素５１乃至６０は図７に図示されるように相互接続されている。また、このテレビジョンチューナの中間周波回路５０の前段回路は、バンドパスフィルタや高周波増幅器やテレビジョン信号選択フィルタ等を含む高周波回路６１と、受信アンテナ６２とからなり、図７に図示されるように接続されている。
【０００５】
また、図８に示されるように、このテレビジョンチューナの中間周波回路５０を回路基板上に形成したときの各構成部品の配置状態は、中央領域に集積回路化された中間周波信号増幅器５３及び周波数変換器５５の集積回路ブロック５３、５５が配置される。この集積回路ブロック５３、５５は、一側に２つのミキサ出力端子（Ｍｉｘ  ｏｕｔ）と２つの中間周波入力端子（ＩＦ  ｉｎ）が導出され、他側に中間周波出力端子（ＩＦ  ｏｕｔ）が導出される。集積回路ブロック５３、５５の一辺側には、その一辺に沿って２つのコイル５１（１）、５１（２）とコイル５２（１）が平行配置され、コイル５２（１）に直交するようにコイル５４（１）が配置されている。また、２つのコイル５１（１）、５１（２）は、各一端間にコンデンサ５１（３）が接続され、他端がリードによって直接接続されて中間周波同調回路５１が形成される。コイル５２（１）は、その両端間にコンデンサ５２（２）が接続されてＮ−１チャネル用トラップ回路５２が形成される。コイル５４（１）は、直列にコンデンサ５４（２）が接続されて中間周波信号共振回路５４が形成される。この他に、それぞれの構成要素５６乃至６０が図８に示されるように接続され、テレビジョンチューナの中間周波回路５０が構成されている。
【０００６】
このように、図７及び図８に図示された既知のテレビジョンチューナの中間周波回路は、Ｎ−１チャネル用トラップ回路５２のコイル５２（１）と中間周波信号共振回路５４のコイル５４（１）が直交状態に配置され、集積回路ブロック５３、５５における２つの中間周波入力端子（ＩＦ  ｉｎ）と２つの中間周波出力端子（ＩＦ  ｏｕｔ）が集積回路ブロック５３、５５の反対側の辺に設けられているため、中間周波増幅器５３の入出力間の帰還量が小さくなっている。
【０００７】
ここで、図９（ａ）、（ｂ）は、図７及び図８に図示された既知のテレビジョンチューナの中間周波回路で得られる特性図であって、（ａ）は周波数特性であり、（ｂ）はビデオ周波数特性である。
【０００８】
図９（ａ）に示されるように、既知のテレビジョンチューナの中間周波回路は、その周波数特性を見たとき、そのピークレベルがピクチャ（Ｐ）部分よりもキャリア（Ｃ）部分側に寄ったところにあり、ピクチャ（Ｐ）部分のレベルがピークレベルよりも０．５ｄＢ程低くなった特性になっている。
【０００９】
また、図９（ｂ）に示されるように、既知のテレビジョンチューナの中間周波回路は、そのビデオ周波数特性を見たとき、０ＭＨｚの基準レベルに対して、１ＭＨｚの近傍に盛り上がった部分が生じ、しかも、３．５８ＭＨｚ近傍から急激に落ち込んだ部分を生じた特性になっている。
【特許文献１】使用する文献なし
【考案の開示】
【考案が解決しようとする課題】
【００１０】
前記既知のテレビジョンチューナの中間周波回路は、回路基板上にテレビジョンチューナの中間周波回路を形成する場合、中間周波増幅器の入出力側の結合が少なくなるような配置構成にしていることから、その周波数特性のピークレベルとピクチャ部分とが一致しなかったり、ビデオ周波数特性に盛り上がった部分や急激に落ち込んだ部分を生じたりし、決して満足できる特性ではなかった。
【００１１】
本考案は、このような技術的背景に鑑みてなされたもので、その目的は、中間周波増幅器の入出力間に帰還結合を施し、それによって周波数特性におけるピクチャ部分とそのピークレベルとが一致するようにしたテレビジョンチューナの中間周波回路を提供することにある。
【課題を解決するための手段】
【００１２】
前記目的を達成するために、本発明によるテレビジョンチューナの中間周波回路は、それぞれ回路基板上に形成され、並列接続されたコイルと容量からなり、中間周波信号に並列共振する中間周波同調回路と、中間周波同調回路の出力側に接続され、並列接続されたコイルと容量からなり、下側隣接チャネルの音声信号成分を除去するＮ−１チャネル用トラップ回路と、Ｎ−１チャネル用トラップ回路の出力側に接続され、中間周波信号を増幅する中間周波増幅器と、中間周波増幅器の出力側に接続され、直列接続されたコイルと容量からなる中間周波信号共振回路とを備えるものであって、回路基板上の中間周波増幅器の入出力間に接続配置される構成部品の結合状態を選択し、中間周波回路の周波数特性におけるピクチャ部分がそのピークになるように設定した構成手段を具備する。
【００１３】
この場合、前記構成手段における一つの具体的手段は、中間周波増幅器の入出力間における構成部品の接続配置は、Ｎ−１チャネル用トラップ回路のコイル及び中間周波信号共振回路のコイルをそれぞれ空芯コイルとし、中間周波増幅器の入出力間の帰還量を２つの空芯コイル間に生じる誘導結合量によって設定しているものである。
【００１４】
また、前記構成手段における他の具体的手段は、中間周波増幅器の入出力間における構成部品の接続配置は、Ｎ−１チャネル用トラップ回路のコイルを空芯コイルに、中間周波信号共振回路のコイルをチップ型コイルにするとともに、中間周波増幅器の入出力端を平行配置し、中間周波増幅器の入出力間の帰還量が入出力端間に接続したコンデンサの容量値によって設定しているものである。
【考案の効果】
【００１５】
このように、本考案のテレビジョンチューナの中間周波回路によれば、回路基板上の中間周波増幅器の入出力間に接続配置される構成部品の結合状態を選択し、中間周波回路の周波数特性におけるピクチャ部分を強調させ、周波数特性のピクチャ部分とのピークレベルとを一致させるようにしたので、周波数特性のピクチャ部分を増強させ、しかも、ビデオ周波数特性が比較的平坦になるようにすることができるという効果がある。
【考案を実施するための最良の形態】
【００１６】
以下、本発明の実施の形態を図面を参照して説明する。
【実施例】
【００１７】
図１は、本考案によるテレビジョンチューナの中間周波回路の第１の実施の形態を示すもので、その構成を示す回路図であり、前段回路を含めて示したものである。また、図２は、図１に図示されたテレビジョンチューナの中間周波回路を回路基板上に形成したときの要部構成部品の配置状態を示す平面図である。そして、この場合も、以下の説明において、図２における構成要素については、図１に図示された構成要素と同じ構成要素に同じ符号を付けている。
【００１８】
図１に示されるように、第１の実施の形態によるテレビジョンチューナの中間周波回路１１は、直列接続された２つのコイル１（１）、１（２）とコンデンサ１（３）との並列接続回路からなる中間周波同調回路１と、コイル２（１）とコンデンサ２（２）との並列接続回路からなるＮ−１チャネル用トラップ回路２と、中間周波信号増幅器３と、コイル４（１）とコンデンサ４（２）との直列接続回路からなる中間周波信号共振回路４と、ミキサ回路及び局部発振回路を含む周波数変換器５と、バッファ抵抗６と、バイパスコンデンサ７と、結合コンデンサ８と、バイパスコンデンサ９と、分路コンデンサ１０と、入力端１１（Ｉ）と、出力端１１（Ｏ）と、電源端子１１（Ｂ）とからなり、これらの構成要素１乃至１０は図１に図示されるように相互接続されているもので、このような回路構成は、見掛け上、図７に図示された既知のテレビジョンチューナの中間周波回路と同じである。また、このテレビジョンチューナの中間周波回路１１の前段回路は、バンドパスフィルタや高周波増幅器やテレビジョン信号選択フィルタ等を含む高周波回路１２と、受信アンテナ１３とからなり、それらは図１に図示されるように接続されており、このような回路構成も、図７に図示された既知のテレビジョンチューナの中間周波回路の前段回路の回路構成と同じである。
【００１９】
また、図２に示されるように、第１の実施の形態によるテレビジョンチューナの中間周波回路１１を回路基板上に形成したときの各構成部品の配置状態は、中央領域に集積回路化された中間周波信号増幅器３及び周波数変換器５の集積回路ブロック３、５が配置される。この集積回路ブロック３、５は、一方の辺に２つのミキサ出力端子（Ｍｉｘ  ｏｕｔ）と１つの中間周波入力端子（ＩＦ  ｉｎ）が導出配置され、相対する他方の辺に２つの中間周波出力端子（ＩＦ  ｏｕｔ）と１つの中間周波入力端子（ＩＦ  ｉｎ）が導出配置される。集積回路ブロック３、５は、その一方の辺に沿うように２つのコイル１（１）、１（２）が平行配置され、一方の辺に直交する辺に沿うようにコイル２（１）が配置され、コイル２（１）と縦列するようにコイル４（１）が配置されている。また、２つのコイル１（１）、１（２）は、各一端間にコンデンサ１（３）が接続され、他端がリードによって直接接続されて中間周波同調回路１が形成される。コイル２（１）は、その両端間にコンデンサ２（２）が接続されてＮ−１チャネル用トラップ回路２が形成される。コイル４（１）は、直列にコンデンサ４（２）が接続されて中間周波信号共振回路４が形成される。この他に、それぞれの構成要素６乃至１０が図２に示されるように接続され、テレビジョンチューナの中間周波回路１１が構成されている。
【００２０】
このように、図１及び図２に図示された第１の実施の形態によるテレビジョンチューナの中間周波回路１１は、Ｎ−１チャネル用トラップ回路２のコイル２（１）と中間周波信号共振回路４のコイル４（１）とがほぼ軸心を同じにして縦列状態に配置されており、集積回路ブロック３、５における１つの中間周波入力端子（ＩＦ  ｉｎ）と２つの中間周波出力端子（ＩＦ  ｏｕｔ）とが集積回路ブロック３、５の同一の辺に導出配置されているため、コイル２（１）とコイル４（１）との間にわずかな誘導結合が生じているだけでなく、ホット側となる１つの中間周波入力端子と同じくホット側となる１つの中間周波出力端子との間に形成される微小容量によって容量結合が生じ、当該誘導結合と当該容量結合により中間周波増幅器３の入出力間に若干量の帰還が施されるようになる。
【００２１】
ここで、図３（ａ）、（ｂ）は、図１及び図２に図示された第１の実施の形態によるテレビジョンチューナの中間周波回路で得られる特性図であって、（ａ）は周波数特性であり、（ｂ）はビデオ周波数特性である。
【００２２】
図３（ａ）、（ｂ）に示されるように、このテレビジョンチューナの中間周波回路は、中間周波増幅器３の入出力間に若干量の帰還が施されたことにより、図３（ａ）に示された周波数特性を見れば、そのピークレベルがピクチャ（Ｐ）部分とほぼ一致したところにあり、ピクチャ（Ｐ）部分のレベルがピークレベルになっている。また、図３（ｂ）に示されたビデオ周波数特性を見れば、０ＭＨｚの基準レベルに対して、１ＭＨｚの近傍に生じる盛り上がった部分をなくし、しかも、３．５８ＭＨｚ近傍からの急激な落ち込み部分をなくして、全体的に平坦な特性になっている。
【００２３】
次いで、図４は、本考案によるテレビジョンチューナの中間周波回路の第２の実施の形態を示すもので、その構成を示す回路図であり、前段回路を含めて示したものである。また、図５は、図４に図示されたテレビジョンチューナの中間周波回路を回路基板上に形成したときの要部構成部品の配置状態を示す平面図である。この場合も、以下の説明において、図５における構成要素については、図４に図示された構成要素と同じ構成要素に同じ符号を付けている。
【００２４】
図１に図示されたテレビジョンチューナの中間周波回路の第１の実施の形態（以下、これを前者という）と、図４に図示されたテレビジョンチューナの中間周波回路の第２の実施の形態（以下、これを後者という）との回路上の違いは、は、後者が中間周波増幅器３の入出力間に帰還コンデンサ１４を接続しているのに対して、前者がこのような帰還コンデンサ１４を接続していない点だけであって、前段回路を含むその他の回路構成については、前者と後者との間に違いがない。このため、後者の構成については、前者に使用しているそれぞれの構成要素と同じ構成要素について同じ符号を付し、その説明を省略する。
【００２５】
また、図５に示されるように、第２の実施の形態によるテレビジョンチューナの中間周波回路１１を回路基板上に形成したときの各構成部品の配置状態は、中央領域に集積回路化された中間周波信号増幅器３及び周波数変換器５の集積回路ブロック３、５が配置される。この集積回路ブロック３、５は、一つの辺に１つの中間周波入力端子（ＩＦ  ｉｎ）と中間周波出力端子（ＩＦ  ｏｕｔ）が導出配置され、その辺に直交する辺に２つのミキサ出力端子（Ｍｉｘ  ｏｕｔ）と１つの中間周波入力端子（ＩＦ  ｉｎ）が導出配置される。集積回路ブロック３、５は、その一つの辺に沿うように２つのコイル１（１）、２（１）が平行配置される。また、第２の実施の形態によるテレビジョンチューナの中間周波回路１１は、コイル１（２）及びコイル４（１）にそれぞれチップコイルを用いており、チップコイル１（２）は、一端が集積回路ブロック３、５の１つのミキサ出力端子（Ｍｉｘ  ｏｕｔ）とコンデンサ１（３）の一端と結合コンデンサ８の一端にそれぞれ接続され、他端がコイル１（１）の他端に接続される。チップコイル４（１）は、一端にコンデンサ４（２）の一端が接続され、他端に出力端１１（Ｏ）が接続される。集積回路ブロック３、５のホット側中間周波入力端子（ＩＦ  ｉｎ）とホット側中間周波出力端子（ＩＦ  ｏｕｔ）との間には帰還コンデンサ１４が接続される。この場合、直列接続された１つのコイル１（１）と１つのチップコイル１（２）の両端間にコンデンサ１（３）が接続されて中間周波同調回路１が形成される。コイル２（１）は、その両端間にコンデンサ２（２）が接続されてＮ−１チャネル用トラップ回路２が形成される。コイル４（１）は、直列にコンデンサ４（２）が接続されて中間周波信号共振回路４が形成される。この他に、それぞれの構成要素６乃至１０が図５に示されるように接続され、テレビジョンチューナの中間周波回路１１が構成されている。
【００２６】
このように、図４及び図５に図示された第２の実施の形態によるテレビジョンチューナの中間周波回路１１は、集積回路ブロック３、５における１つの中間周波入力端子（ＩＦ  ｉｎ）と１つの側中間周波出力端子（ＩＦ  ｏｕｔ）とが集積回路ブロック３、５の同一の辺に導出配置され、それらの間に帰還コンデンサ１４を接続しているため、ホット側となる１つの中間周波入力端子と同じくホット側となる１つの中間周波出力端子との間に形成される微小容量とともに、それらの間に接続された帰還コンデンサ１４による容量結合が生じ、中間周波増幅器３の入出力間に若干量の帰還が施されるようになる。
【００２７】
ここで、図６（ａ）、（ｂ）は、図４及び図５に図示された第２の実施の形態によるテレビジョンチューナの中間周波回路で得られる特性図であって、（ａ）は周波数特性であり、（ｂ）はビデオ周波数特性である。
【００２８】
図６（ａ）、（ｂ）に示されるように、このテレビジョンチューナの中間周波回路は、中間周波増幅器３の入出力間に若干量の帰還が施されたことにより、図６（ａ）に示された周波数特性を見れば、そのピークレベルがピクチャ（Ｐ）部分とほぼ一致したところにあり、ピクチャ（Ｐ）部分のレベルがピークレベルになっている。また、図６（ｂ）に示されたビデオ周波数特性を見れば、０ＭＨｚの基準レベルに対して、１ＭＨｚの近傍に生じる盛り上がった部分をなくし、しかも、３．５８ＭＨｚ近傍からの急激な落ち込み部分をなくして、全体的に平坦な特性にすることができる。
【００２９】
このように、この考案によるテレビジョンチューナの中間周波回路によれば、中間周波増幅器３の入出力間に若干量の帰還を施すことによって、その周波数特性及びビデオ周波数特性を良好なものにすることができ、簡単な回路構成により所望の特性を得ることができる。
【図面の簡単な説明】
【００３０】
【図１】本考案によるテレビジョンチューナの中間周波回路の第１の実施の形態を示すもので、その構成を示す回路図である。
【図２】図１に図示されたテレビジョンチューナの中間周波回路を回路基板上に形成したときの要部構成部品の配置状態を示す平面図である。
【図３】図１及び図２に図示された第１の実施の形態のテレビジョンチューナの中間周波回路で得られる特性図である。
【図４】本考案によるテレビジョンチューナの中間周波回路の第２の実施の形態を示すもので、その構成を示す回路図である。
【図５】図４に図示されたテレビジョンチューナの中間周波回路を回路基板上に形成したときの要部構成部品の配置状態を示す平面図である。
【図６】図４及び図５に図示された第２の実施の形態のテレビジョンチューナの中間周波回路で得られる特性図である。
【図７】既知のテレビジョンチューナの中間周波回路の構成の一例を示す回路図である。
【図８】図７に図示されたテレビジョンチューナの中間周波回路を回路基板上に形成したときの要部構成部品の配置状態を示す平面図である。
【図９】図７及び図８に図示された既知のテレビジョンチューナの中間周波回路で得られる特性図である。
【符号の説明】
【００３１】
１  中間周波同調回路
１（１）、１（２）  コイル
１（３）  コンデンサ
２  Ｎ−１チャネル用トラップ回路コイル
２（１）  コイル
２（２）  コンデンサ
３  中間周波信号増幅器
４  中間周波信号共振回路
４（１）  コイル
４（２）  コンデンサ
５  周波数変換器
６  バッファ抵抗
７  バイパスコンデンサ
８  結合コンデンサ
９  バイパスコンデンサ
１０  分路コンデンサ
１１（Ｉ）  入力端
１１（Ｏ）  出力端
１１（Ｂ）  電源端子
１４  帰還コンデンサ
【図１】
0003108714.tif 000003
【図２】
0003108714.tif 000004
【図３】
0003108714.tif 000005
【図４】
0003108714.tif 000006
【図５】
0003108714.tif 000007
【図６】
0003108714.tif 000008
【図７】
0003108714.tif 000009
【図８】
0003108714.tif 000010
【図９】
0003108714.tif 000011